(57)【特許請求の範囲】
【請求項１】
往復動圧縮機と、
前記往復動圧縮機の軸封部と前記往復動圧縮機の吸込側とを接続する漏れガス回収ラインと、
この漏れガス回収ラインに介設され、前記往復動圧縮機の軸封部から漏れた漏れガスを貯留するバッファタンクと、
このバッファタンクに後続する前記漏れガス回収ラインに介設され、前記バッファタンクに貯留された漏れガスを吸込んで昇圧する小型圧縮機とを備え、
前記漏れガスを、前記小型圧縮機にて昇圧した上、前記漏れガス回収ラインを介して前記往復動圧縮機の吸込側に戻す様に構成され、
前記バッファタンクと前記小型圧縮機の吐出側の漏れガス回収ラインとを連通するバイパスラインと、
このバイパスラインに介設されたバイパス弁とを備え、
前記バッファタンクから前記小型圧縮機に供給されるガス量が過少な場合に前記バイパス弁を開弁して、前記小型圧縮機から吐出されるガスの一部を前記バイパスラインを介してバッファタンクに戻す様に構成されたことを特徴とする往復動圧縮機のガス漏洩防止システム。
【請求項２】
前記バッファタンクの圧力を検出するタンク圧検出手段を備え、
前記タンク圧検出手段によって検出された圧力信号が所定圧より低くなった場合に、前記バッファタンクから前記小型圧縮機に供給されるガス量が過少な場合であるとして、前記バイパス弁の開弁を行う様に構成されたことを特徴とする請求項１に記載の往復動圧縮機のガス漏洩防止システム。
【請求項３】
往復動圧縮機と、
前記往復動圧縮機の軸封部と前記往復動圧縮機の吸込側とを接続する漏れガス回収ラインと、
この漏れガス回収ラインに介設され、前記往復動圧縮機の軸封部から漏れた漏れガスを貯留するバッファタンクと、
このバッファタンクに後続する前記漏れガス回収ラインに介設され、前記バッファタンクに貯留された漏れガスを吸込んで昇圧する小型圧縮機とを備え、
前記漏れガスを、前記小型圧縮機にて昇圧した上、前記漏れガス回収ラインを介して前記往復動圧縮機の吸込側に戻す様に構成され、
前記バッファタンクの圧力を検出するタンク圧検出手段と、
前記小型圧縮機の駆動モータの回転数を指令するインバータと、
前記タンク圧検出手段によって検出された圧力信号に基づき前記駆動モータの回転数を演算する制御器とを備え、
前記制御器からインバータに送信された周波数信号によって、前記小型圧縮機の駆動モータの回転数を制御する様に構成されたことを特徴とする往復動圧縮機のガス漏洩防止システム。
【請求項４】
前記小型圧縮機の軸封部と前記小型圧縮機の吸込側の漏れガス回収ラインとを連通する軸封部連通ラインを備えてなることを特徴とする請求項１乃至３に記載の往復動圧縮機のガス漏洩防止システム。
【請求項５】
前記小型圧縮機が密閉型圧縮機であることを特徴とする請求項１乃至３に記載の往復動圧縮機のガス漏洩防止システム。
【発明の詳細な説明】
【技術分野】
【０００１】
本発明は、往復動圧縮機の軸封部からの僅かな圧縮ガスの漏れを防止する往復動圧縮機のガス漏洩防止システムに関するものである。
【背景技術】
【０００２】
天然ガス、水素等の可燃性・爆発性ガス、一酸化炭素等の有毒ガスあるいは二酸化炭素等の冷媒ガス等の圧縮には、高圧が得られることから工業上往復動圧縮機が多々用いられている。その際、この様な往復動圧縮機の軸封部からの僅かな圧縮ガスの漏れがあると、引火、爆発したり人体に害を与える恐れがあるため、従来より種々の対策（ガス漏洩防止技術）が採られている。
【０００３】
この様な往復動圧縮機の従来例に係るガス漏洩防止技術について、以下図３〜５を参照しながら説明する。図３は従来例に係るガス圧縮機の全体概要説明図、図４は従来例に係るガス圧縮機のジスタンスピース軸封装置の拡大断面図、図５は米国石油学会（ＡＰＩ）における石油、化学及びガス工業用往復動圧縮機に係る規格の説明図である。
【０００４】
先ず、従来例に係るガス圧縮機のジスタンスピース軸封装置は、図３，４に示す如く、シリンダ２８とクランクケース２９との間にシリンダ２８に連設してジスタンスピース３０を設け、シリンダ２８側の隔壁３１にシリンダ軸封装置４０を設けると共に、ジスタンスピース３０のクランクケース２９側の隔壁３２にジスタンスピース軸封装置５０を設けて、クランクケース２９側への圧縮ガスの漏洩を防止するものである。そして、前記ジスタンスピース軸封装置５０のシール性を向上させるために、オイルシール５１３，５１４、Ｖ字形パッキンリング５５を使用し、ジスタンスピース３０内に溜まったガスはクランクケース２９側へ漏らさず、ガス圧縮機の吸込ライン側へ戻す様に構成している（特許文献１参照）。
【０００５】
このジスタンスピース軸封装置５０によれば、ジスタンスピース３０内に漏れ込んだガスを排出するため吸込ラインとジスタンスピース３０を連通しているが、吸込圧が高圧（例えば、１ＭＰａ以上）の場合には、前記ジスタンスピース軸封装置５０の前後差圧が大きくなり過ぎ、その差圧により、Ｖ字形パッキンリング５５のピストン棒６０を押え付ける力が過大となり、Ｖ字形パッキンリング５５の異常摩耗を引き起こし易くなり、不適切である。また、横型の大型圧縮機の場合、竪型の圧縮機に比べピストン棒６０の半径方向の振動が大きくなる結果、前記オイルシール５１３，５１４やＶ字形パッキンリング５５の前記振動に対する追従性が不足し、シール性の低下は免れない。
【０００６】
一方、図５に示す様に、シリンダ側７１とジスタンスピース側７２との間に軸封部７０(Pressure Packing)が設けられた石油・化学及びガス工業用往復動圧縮機が知られている。そして、この往復動圧縮機では、軸封部７０に接続されたＢラインから不活性保護ガス(Inert Buffer gas)を供給しつつ、同時にＧラインから系外に放出している（非特許文献１参照）。
【０００７】
この様な軸封部７０におけるガス漏洩に対するシステムは、１００ｋＷを越える大型圧縮機に一般的に採用され、シリンダで圧縮されるガスの一部は、軸封部７０からの漏れにより前記Ｇラインを介して、大気等系外へ放出される。しかしながら、この様なシステムは、圧縮ガスが有毒ガスや可燃性ガスの場合、それらを大気等系外に放出する前に、希釈化、無毒化等の所定の処理を行なうための設備が必要となる。また、冷媒ガスを閉ループで循環する圧縮機の場合には、その冷媒ガスを補充する頻度が高くなる。
【特許文献１】特開２００２−３３９８６６号公報
【非特許文献１】「石油、化学及びガス工業用往復動圧縮機」，米国石油学会規格６１８（米国），米国石油学会，１９９５年６月，第４版，ｐ．１３１−１３２（Reciprocating Compressor for Petroleum,Chemical,and Gas Industry Services,API STANDARD 618(USA),American Petroleum Institute,June 1995,Fourth Edition,p.131-132）
【発明の開示】
【発明が解決しようとする課題】
【０００８】
従って、本発明の目的は、横型の大型圧縮機においても軸封部からの僅かな漏れを防止して、大気を汚染したり引火や爆発の危険性なく、また、ガスの補充頻度を低減し得る往復動圧縮機のガス漏洩防止システムを提供することにある。
【課題を解決するための手段】
【０００９】
前記目的を達成するために、本発明の請求項１に係る往復動圧縮機のガス漏洩防止システムが採用した手段は、往復動圧縮機と、前記往復動圧縮機の軸封部と前記往復動圧縮機の吸込側とを接続する漏れガス回収ラインと、この漏れガス回収ラインに介設され、前記往復動圧縮機の軸封部から漏れた漏れガスを貯留するバッファタンクと、このバッファタンクに後続する前記漏れガス回収ラインに介設され、前記バッファタンクに貯留された漏れガスを吸込んで昇圧する小型圧縮機とを備え、前記漏れガスを、前記小型圧縮機にて昇圧した上、前記漏れガス回収ラインを介して前記往復動圧縮機の吸込側に戻す様に構成されている。
【００１０】
更に、前記バッファタンクと前記小型圧縮機の吐出側の漏れガス回収ラインとを連通するバイパスラインと、このバイパスラインに介設されたバイパス弁とを備え、前記バッファタンクから前記小型圧縮機に供給されるガス量が過少な場合に前記バイパス弁を開弁して、前記小型圧縮機から吐出されるガスの一部を前記バイパスラインを介してバッファタンクに戻す様に構成されている。
【００１１】
また、本発明の請求項２に係る往復動圧縮機のガス漏洩防止システムが採用した手段は、本発明の請求項１に係る往復動圧縮機のガス漏洩防止システムの構成に加え、前記バッファタンクの圧力を検出するタンク圧検出手段を備え、前記タンク圧検出手段によって検出された圧力信号が所定圧より低くなった場合に、前記バッファタンクから前記小型圧縮機に供給されるガス量が過少な場合であるとして、前記バイパス弁の開弁を行う様に構成されている。
【００１２】
また更に、本発明の請求項３に係る往復動圧縮機のガス漏洩防止システムが採用した手段は、往復動圧縮機と、前記往復動圧縮機の軸封部と前記往復動圧縮機の吸込側とを接続する漏れガス回収ラインと、この漏れガス回収ラインに介設され、前記往復動圧縮機の軸封部から漏れた漏れガスを貯留するバッファタンクと、このバッファタンクに後続する前記漏れガス回収ラインに介設され、前記バッファタンクに貯留された漏れガスを吸込んで昇圧する小型圧縮機とを備え、前記漏れガスを、前記小型圧縮機にて昇圧したうえ、前記漏れガス回収ラインを介して前記往復動圧縮機の吸込側に戻す様に構成され、前記バッファタンクの圧力を検出するタンク圧検出手段と、前記小型圧縮機の駆動モータの回転数を指令するインバータと、前記タンク圧検出手段によって検出された圧力信号に基づき前記駆動モータの回転数を演算する制御器とを備え、前記制御器からインバータに送信された周波数信号によって、前記小型圧縮機の駆動モータの回転数を制御する様に構成されている。
【００１３】
そして、本発明の請求項４に係る往復動圧縮機のガス漏洩防止システムが採用した手段は、本発明の請求項１乃至３に係る往復動圧縮機のガス漏洩防止システムの構成に加え、前記小型圧縮機の軸封部と前記小型圧縮機の吸込側の漏れガス回収ラインとを連通する軸封部連通ラインを備えている。
【００１４】
また、本発明の請求項５に係る往復動圧縮機のガス漏洩防止システムが採用した手段は、本発明の請求項１乃至３に係る往復動圧縮機のガス漏洩防止システムの構成に加え、前記小型圧縮機が密閉型圧縮機である。
【発明の効果】
【００１５】
本発明の請求項１に係る往復動圧縮機のガス漏洩防止システムによれば、往復動圧縮機の軸封部から漏れた漏れガスを確実に往復動圧縮機の吸込側に戻すことができるので、往復動圧縮機の軸封部から漏れた漏れガスをその往復動圧縮機を含むシステムの外部に放出すること（圧縮ガスの漏洩）を防止できる。特に密閉構造とするのが難しい大型の往復動圧縮機においても、圧縮ガスの漏洩を防止することが出来る。
【００１６】
また、バッファタンクから小型圧縮機に供給されるガス量が過少な場合に、往復動圧縮機の軸封部から漏れた漏れガスの一部を往復動圧縮機の吸込側に戻し、他の一部をバッファタンクに戻すことができるので、過多に漏れガスを往復動圧縮機の吸込側に戻すことや、往復動圧縮機の軸封部から漏れた漏れガスを小型圧縮機が過多に吸い込むことを回避できる。
【００１７】
更に、本発明の請求項２に係る往復動圧縮機のガス漏洩防止システムによれば、バッファタンクの圧力を検出するタンク圧検出手段によって検出された圧力信号に基づいて、適切に前記バッファタンクから小型圧縮機に供給されるガス量が過少な場合であることを判断でき、漏れガスを往復動圧縮機の吸込側に過多に戻すことや、漏れガスを小型圧縮機が過多に吸い込むことの回避をより確実なものとすることができる。
【００１８】
また更に、本発明の請求項３に係る往復動圧縮機のガス漏洩防止システムによれば、往復動圧縮機の軸封部から漏れた漏れガスの量に応じて、再昇圧する小型圧縮機の負荷（処理量）を最適化し得る。
【００１９】
本発明の請求項４に係る往復動圧縮機のガス漏洩防止システムによれば、往復動圧縮機の軸封部から漏れた漏れガスのみならず、小型圧縮機の軸封部から漏れた漏れガスも確実に往復動圧縮機の吸込側に戻すことができるので、圧縮ガスの漏洩を防止をより強固なものとすることが出来る。
【００２０】
また、本発明の請求項５に係る往復動圧縮機のガス漏洩防止システムによれば、圧縮ガスの漏洩の防止を更に強固なものとすることが出来る。
【発明を実施するための最良の形態】
【００２１】
先ず、本発明の実施の形態１に係る往復動圧縮機のガス漏洩防止システムについて、以下図１を参照しながら説明する。図１は、本発明の実施の形態１に係る往復動圧縮機のガス漏洩防止システムを、ヒートポンプに適用した態様例として示した模式的系統図である。本発明の実施の形態１に係る往復動圧縮機１は、駆動モータＭ１による回転運動を往復運動に変換するクランク機構２と、このクランク機構２に一端を連結されたピストン棒３と、このピストン棒３の他端に連結されたピストン４とを備えている。
【００２２】
また、前記クランク機構２はクランクケース２ａに収納設置されると共に、前記ピストン４は、シリンダ４ａの内壁に摺動しながら往復動可能に収納されている。そして、前記クランクケース２ａとシリンダ４ａとが、ジスタンスピース５を介して連結されている。更に、前記シリンダ４ａとジスタンスピース５とを隔てた隔壁６ａには、ピストン棒３を貫通させるための貫通孔が設けられると共に、この貫通孔には、シリンダ４ａ内で圧縮された圧縮ガスの漏れを防止するための軸封部６が設けられている。
【００２３】
この軸封部６には、シールリングやＶ字形パッキンリング等からなるシール構造が採用されている。そして、前記クランク機構２によりピストン４をシリンダ４ａ内で往復動させ、吸込口１ａからこのシリンダ４ａ内に供給された高圧の吸込ガス（例えば、１ＭＰａ以上）を前記ピストン４で圧縮して、更に高圧の圧縮ガスが吐出口１ｂにおいて得られる様に構成されている。
【００２４】
前記往復動圧縮機１を用いたヒートポンプにおいては、この往復動圧縮機１、高圧吐出ライン１８ａ、凝縮器１９、膨張弁２０、蒸発器２１及び高圧吸込ライン１８ｂを閉ループ状に連結して、循環ライン１８が形成されている。そして、加熱運転の場合は、蒸発器２１において、膨張弁２０により膨張されたガスが熱源側ブラインと熱交換してブラインから吸熱すると共に、凝縮器１９において負荷側の温水に熱を付与する。一方、冷却運転の場合は、蒸発器２１において、膨張弁２０により膨張されたガスが負荷側の冷水と熱交換して除熱すると共に、凝縮器１９においてブラインと熱交換してブラインに放熱する。
【００２５】
尚、前記膨張弁２０は、高圧吐出ライン１８ａに取り付けられた圧力計２２の検出値、即ち、いわゆる凝縮圧力Ｐ２が一定の圧力範囲となる様、制御器２１ｂにより開度制御される。但し、前記膨張弁２０の開度制御はこれに限らず、例えば、蒸発器２１の出口側に感温筒を設け、前記膨張弁２０の開度を前記感温筒で検知された温度（蒸発温度）に応じて制御したり、蒸発器２１の入口・出口側に温度計を設け、入口・出口側に温度差に応じて制御したり、圧力計２２に替えて温度計を設け、往復動圧縮機１の吐出側の過熱度に応じて制御する等の形態も良く用いられる。
【００２６】
この様なヒートポンプにおいて、前記循環ライン１８に循環されるガスは、ＨＣＦＣ系やＨＦＣ系の冷媒、あるいはアンモニア、プロパン及び二酸化炭素等のいわゆる自然冷媒（以下これらを総称して、冷媒ガスまたは単にガスともいう）が用いられる。そして、前記往復動圧縮機１において、この様な冷媒ガスを圧縮する際、圧縮される冷媒ガスが高圧になる程、前記軸封部６からのガス漏れは避けられない。
【００２７】
従って、本発明の実施の形態１に係る往復動圧縮機のガス漏洩防止システムは次の通り構成される。即ち、この往復動圧縮機１のガス漏洩防止システムには、前記軸封部６からの漏れガスを回収するベントライン７ａ、バッファタンク８、低圧吸込ライン７ｂ及び小型圧縮機１１の吸込口１１ａとを連結する流路と、この小型圧縮機１１の吐出口１１ｂ、低圧吐出ライン７ｃ、逆止弁１７及び前記往復動圧縮機１の高圧吸込ライン１８ｂ（もしくは吸込口１ａ）とを連通する流路とからなる漏れガス回収ライン７が設けられている。
【００２８】
即ち、漏れガス回収ライン７は、バッファタンク８等の諸々の設備を介して、往復動圧縮機１の軸封部６と吸込口１ａ（吸込側）とを接続している。この漏れガス回収ライン７は、後述する様に、往復動圧縮機１の軸封部６からの漏れガスを回収し、吸込口１ａ（吸込側）に戻す機能を担う。
【００２９】
前記小型圧縮機１１は、前記往復動圧縮機１と同様に、駆動モータＭ２による回転運動を往復運動に変換するクランク機構１２と、このクランク機構１２に一端を連結されたピストン棒１３と、このピストン棒１３の他端に連結されたピストン１４とを備えている。
【００３０】
また、前記クランク機構１２はクランクケース１２ａに収納設置されると共に、前記ピストン１４は、シリンダ１４ａの内壁に摺動しながら往復動可能に収納されている。そして、前記クランクケース１２ａとシリンダ１４ａとが、ジスタンスピース１５を介して連結されている。更に、前記シリンダ１４ａとジスタンスピース１５とを隔てた隔壁１６ａには、ピストン棒１３を貫通させるための貫通孔が設けられると共に、この貫通孔には、シリンダ１４ａ内で圧縮された圧縮ガスの漏れを防止するための軸封部１６が設けられている。
【００３１】
この軸封部１６にも、シールリングやＶ字形パッキンリング等からなるシール構造が採用されている。そして、前記クランク機構１２によりピストン１４をシリンダ１４ａ内で往復動させ、吸込口１１ａからこのシリンダ４ａ内に供給されたガスを前記ピストン１４で圧縮して、圧縮ガスが吐出口１１ｂにおいて得られる様に構成されている。更に、前記低圧吸込ライン７ｂには軸封部連通ライン９が接続され、小型圧縮機１１の軸封部１６と連通されている。一方、前記低圧吐出ライン７ｃにはバイパスライン１０が接続され、このバイパスライン１０にはバイパス弁１０ａが介設されている。
【００３２】
この様な往復動圧縮機のガス漏洩防止システムにおいて、前記往復動圧縮機１の軸封部６から漏出した漏れガスは、ベントライン７ａからバッファタンク８に導入して貯留される。このバッファタンク８に貯留された漏れガスは、低圧吸込ライン７ｂを介して小型圧縮機１１の吸込口１１ａに吸込まれ、圧縮された後に低圧吐出ライン７ｃに吐出される。この際、前記軸封部６から漏出する漏れガスの量、ひいてはベントライン７ａを介してバッファタンク８へ導入されるガスの量（以下、ベント量とも称す）は一定ではない。従って、小型圧縮機１１は、通常想定される最大のベント量を処理できるものであるのが望ましい。
【００３３】
前記低圧吸込ライン７ｂを介して小型圧縮機１１に供給されるベント量が、小型圧縮機１１の処理容量より少ない、即ち、ベント量（ガス量）が過少（小型圧縮機１１の処理容量が過大）な場合は、前記バイパス流路１０に介設されたバイパス弁１０ａを開弁して、前記小型圧縮機１１の吐出口１１ｂから吐出されるガスの一部を、前記バッファタンク８に戻す様に構成されている。残りのガスについては、逆止弁１７を介して往復動圧縮機１の高圧吸込ライン１８ｂに戻されるのである。前記軸封部連通ライン９は、小型圧縮機１１のシリンダ１４ａと軸封部１６の内圧をバランスさせて、前記シリンダ１４ａから前記軸封部１６へのガス漏れを防止する役目を果たしている。
【００３４】
前記バイパス弁１０ａとしては、圧空等の作用により開度の調整可能なグローブ弁やダイヤフラム弁が好適である。また、前記バッファタンク８には、このタンク８内のガス圧を検出するためのタンク圧力計（タンク圧検出手段）８ａが取り付けられ、このタンク圧力計８ａによって検出された検出圧力Ｐ１が、制御器２１ａに入力される様に構成されている。
【００３５】
そして、この制御器２１ａによって、上述した「小型圧縮機１１に供給されるベント量が小型圧縮機の処理容量より少ない、即ち、ベント量（ガス量）が過少（小型圧縮機１１の処理容量が過大）な場合」であるか否か、またその程度が前記検出圧力Ｐ１に基づいて判定される。前記制御器２１ａは、入力された検出圧力Ｐ１の値に応じて、その検出圧力Ｐ１の値が予め設定された所定の範囲に収まる様に、前記バイパス弁１０ａの所定の開度を演算し、前記バイパス弁１０ａの開度を制御する。
【００３６】
例えば、制御器２１ａは、前記検知圧力Ｐ１が予め定められた圧力値より低くなれば、「小型圧縮機１１に供給されるベント量が少ない、すなわちベント量（ガス量）が過少（小型圧縮機１１の処理容量が過大）な場合」であると判定する。その際、予め定められた圧力値とその圧力値より低い検知圧力Ｐ１との差分が大きくなるほど、前記バイパス弁１０ａの開度も大きくなるよう制御される。また、制御器２１ａは、前記検知圧力Ｐ１が予め定められた圧力値以上であれば、「小型圧縮機１１に供給されるベント量が少ない、すなわちベント量（ガス量）が過少（小型圧縮機１１の処理容量が過大）な場合」ではないと判定し、前記バイパス弁１０ａを閉じる。
【００３７】
尚、前記バイパス弁１０ａには、その開度を任意に制御可能な弁が望ましい。但し、それに限るものではなく、前記バイパス弁１０ａは、全閉もしくは全開のいずれかに切り替え可能な開閉弁であっても良い。その場合、予め定められた圧力値とその圧力値より低い検知圧力Ｐ１との差分が大きくなるほど、所定の単位時間あたりの前記バイパス弁１０ａを開弁する時間を長くする様に制御するのが好ましい。
【００３８】
また、前記バイパス弁１０ａが、その開度を任意に制御可能な弁、あるいは、全閉もしくは全開の何れかに切り替え可能な開閉弁のどちらであっても、前記検知圧力Ｐ１が予め定められた圧力値以上の際に、常に、前記バイパス弁１０ａを閉じるよう構成しなくとも良い。例えば、前記バイパス弁１０ａが、その開度を任意に制御可能な弁である場合、予め定められた圧力値より検知圧力Ｐ１が低い場合には、圧力の差分が大きくなるほど、前記バイパス弁１０ａの開度も大きくし、逆に予め定められた圧力値より検知圧力Ｐ１が高い場合には、圧力の差分が大きくなるほど、前記バイパス弁１０ａの開度を小さくする様に構成するのみでも良い。また、バイパス弁１０ａの開度の制御には、いわゆるＰＩＤ制御などが好適である。
【００３９】
更に、前記小型圧縮機１１は密閉型圧縮機であるのが好ましい。密閉型圧縮機は、前記駆動モータＭ２がクランクケース１２ａ内に収納されると共に、このクランクケース１２ａ、シリンダ１４ａ及びジスタンスピースの接合面にシール性が確保されるため、前記軸封部１６からシリンダ１４ａ内の圧縮ガスが漏れたとしても、前記ジスタンスピース１５やクランクケース１２ａより外側に漏れ出すことがない。あるいは、クリアランスケース１２ａのクランクシャフト貫通部をシールし、クランクケース１２ａ及びジスタンスピース１５を密閉構造とすることでも、同様な効果が期待できる。
【００４０】
以上の通り、本発明の実施の形態１に係る往復動圧縮機のガス漏洩防止システムによれば、前記往復動圧縮機１の軸封部６からの漏れガスを回収し前記往復動圧縮機１の吸込側１ａに戻す漏れガス回収ライン７が設けられ、この漏れガス回収ライン７の一部をなすベントライン７ａの後端に接続されたバッファタンク８と、このバッファタンク８に後続する低圧吸込ライン７ｂの後端に接続された小型圧縮機１１と、この小型圧縮機１１の軸封部１６と前記小型圧縮機１１の低圧吸込ライン７ｂとを連通する軸封部連通ライン９と、前記バッファタンク８と低圧吐出ライン７ｃとを連通するバイパスライン１０と、このバスパスライン１０に介設されたバイパス弁１０ａとを備えている。
【００４１】
そして、前記バッファタンク８に貯留された漏れガスが、前記低圧吸込ライン７ｂを介して小型圧縮機１１に吸込まれ、圧縮された後に低圧吐出ライン７ｃに吐出されると共に、前記バッファタンク８から小型圧縮機１１に供給されるガス量が、小型圧縮機１１の処理容量より少ない、即ち、ガス量が過少（小型圧縮機１１の処理容量が過大）な場合は、前記バイパス弁１０ａを開弁して前記小型圧縮機１１から吐出されるガスの一部を、前記バイパスライン１０を介してバッファタンク８に戻す様に構成されたので、特に密閉構造とするのが難しい大型の往復動圧縮機１においても、圧縮ガスの漏洩を防止することが出来る。
【００４２】
次に、本発明の実施の形態２に係る往復動圧縮機のガス漏洩防止システムを、添付図２を参照しながら前図１も併用して説明する。図２は本発明の実施の形態２に係る往復動圧縮機のガス漏洩防止システムを、ヒートポンプに適用した態様例として示した模式的系統図である。但し、本発明の実施の形態２が上記実施の形態１と相違するところは、小型圧縮機に供給されるガス量の調整機構の構成に相違があり、これ以外は上記実施の形態１と全く同構成であるから、上記実施の形態１と同一のものに同一符号を付して、以下その相違する点について説明する。
【００４３】
即ち、上記実施の形態１の小型圧縮機１１に供給されるガス量の調整機構が、バッファタンク８と低圧吐出ライン７ｃとを連通するバイパスライン１０と、このバイパスライン１０に介設されたバイパス弁１０ａと、バッファタンク８の圧力を検出するタンク圧力計８ａと、前記バイパス弁１０ａの開度を制御する制御器２１ａとを備え、前記低圧吸込ライン７ｂを介して小型圧縮機１１に供給されるベント量が、小型圧縮機１１の処理容量より少ない、即ち、バッファタンク８から小型圧縮機１１に供給されるガス量が過少（小型圧縮機１１の処理容量が過大）な場合は、前記バイパス流路１０に介設されたバイパス弁１０ａを開弁して、前記小型圧縮機１１の吐出口１１ｂから吐出されるガスの一部を、前記バッファタンク８に戻す様に構成された。
【００４４】
それに対し、本実施の形態２の小型圧縮機１１に供給されるガス量の調整機構は、前記バッファタンク８の圧力を検出するタンク圧力計８ａと、前記小型圧縮機１１の駆動モータＭ２の回転数を指令するインバータ２３と、前記タンク圧力計８ａにより検出された圧力信号によって前記駆動モータＭ２の回転数を演算制御する制御器２４とを備えている。そして、前記タンク圧力計８ａによって検出された圧力信号Ｐ１に基づき、前記制御器２４からインバータ２３に送信された周波数信号により前記小型圧縮機１１の駆動モータＭ２の回転数を制御する様に構成されている。
【００４５】
以上、本発明の実施の形態２に係る往復動圧縮機のガス漏洩防止システムによれば、前記タンク圧力計８ａによって検出された圧力信号Ｐ１に基づき、前記制御器２４からインバータ２３に送信された周波数信号により前記小型圧縮機１１の駆動モータＭ２の回転数を制御する様に構成されたので、前記往復動圧縮機１の軸封部６ａからの漏れガス量に応じて、再昇圧する小型圧縮機１１の負荷を最適化し得る。
【００４６】
即ち、検出圧力Ｐ１が高くなれば、小型圧縮機１１の回転数を上げて小型圧縮機１１の処理容量を増やし、逆に、検出圧力Ｐ１が低くなれば、小型圧縮機１１の回転数を下げて小型圧縮機１１の処理容量を減らし、検出圧力Ｐ１が予め設定された範囲に収まる様に制御する。
【００４７】
尚、本発明の実施の形態においては、本発明に係る往復動圧縮機のガス漏洩防止システムを、態様例としてヒートポンプに適用した場合を説明したが、本発明に係る往復動圧縮機のガス漏洩防止システムは、この往復動圧縮機の吸込口と吐出口とを連通する循環ラインが形成されたヒートポンプへの適用に限定されることはない。即ち、本発明に係る往復動圧縮機のガス漏洩防止システムは、吸込口から吸込んだガスを圧縮して吐出口から高圧ガスとして供給する圧縮機単独のガス漏洩防止システムとしても有効なものである。
【００４８】
また、実施の形態１においては、図１に示す如く、制御器２１ａ，２１ｂを個別の制御器として図示して説明したが、同一の制御器内に夫々の機能を収納しても良い。同様に、実施の形態２においても、図２に示す如く、制御器２１ｂ，２４を個別の制御器として図示して説明したが、同一の制御器内に夫々の機能を収納しても良い。
【図面の簡単な説明】
【００４９】
【図１】本発明の実施の形態１に係る往復動圧縮機のガス漏洩防止システムを、ヒートポンプに適用した態様例として示した模式的系統図である。
【図２】本発明の実施の形態２に係る往復動圧縮機のガス漏洩防止システムを、ヒートポンプに適用した態様例として示した模式的系統図である。
【図３】従来例に係るガス圧縮機の全体概要説明図である。
【図４】従来例に係るガス圧縮機のジスタンスピース軸封装置の拡大断面図である。
【図５】米国石油学会（ＡＰＩ）における石油、化学及びガス工業用往復動圧縮機に係る規格の説明図である。
【符号の説明】
【００５０】
Ｍ１，Ｍ２：駆動モータ，
Ｐ１：タンク検出圧力，              Ｐ２：凝縮圧力，
１：往復動圧縮機，                  １１：小型圧縮機，
１ａ，１１ａ：吸込口，              １ｂ，１１ｂ：吐出口，
２，１２：クランク機構，            ２ａ，１２ａ：クランクケース，
３，１３：ピストン棒，
４，１４：ピストン，                ４ａ，１４ａ：シリンダ，
５，１５：ジスタンスピース，
６，１６：軸封部，                  ６ａ，１６ａ；隔壁，
７：漏れガス回収ライン，            ７ａ：ベントライン，
７ｂ：低圧吸込ライン，              ７ｃ：低圧吐出ライン，
８：バッファタンク，                ８ａ：タンク圧力計（タンク圧検出手段），
９：軸封部連通ライン，
１０：バイパスライン，                １０ａ：バイパス弁，
１７：逆止弁，
１８：循環ライン，      １８ａ：高圧吐出ライン，    １８ｂ：高圧吸込ライン，
１９：凝縮器，          ２０：膨張弁，                ２１：蒸発器，
２１ａ，２１ｂ：制御器，
２２：圧力計，          ２３：インバータ，            ２４：制御器
【図１】
0005059662.tif 000002
【図２】
0005059662.tif 000003
【図３】
0005059662.tif 000004
【図４】
0005059662.tif 000005
【図５】
0005059662.tif 000006